(57)【要約】  【課題】  集合住宅などの建築物の地下階層部に設置される処理槽内で行われるエアレーションに伴う騒音や振動を低減して、建築物の地上階層部に対する騒音や振動の伝播を低減できる厨芥水処理装置を提供すること。  【解決手段】  散気パイプ４は、給気管５を通じてブロワ６から給気される空気を散気パイプ４の内周部から処理槽２内へと放散させるものである。この散気パイプ４は、処理槽２内の底部に配設され屈曲自在に形成される軟質管状体であり、その外周面全体に内周部と連通する多数の微細孔が設けられている。また、散気パイプ４は、処理槽２の底面２ａ一端側から他端側へ延設されており、その延設方向に直交する方向（図４の奥行き方向）に略等間隔で複数本並設されている。【選択図】        図４
2007061762.tif 000002
【特許請求の範囲】
【請求項１】
厨芥を含有する被処理液を浄化処理するための厨芥水処理装置において、
集合住宅などの建築物の地下階層部に配設され被処理液を貯留する処理槽と、
その処理槽内の底部に配設され屈曲自在に形成される軟質管状体であってその外周面全体に微細気泡を放散させる多数の微細孔が内周部と連通して設けられる散気パイプと、
その散気パイプに給気する給気装置とを備えていることを特徴とする厨芥水処理装置。
【請求項２】
前記散気パイプは、前記処理槽の底面に沿ってその処理槽の底面一端側から他端側へ延設され、その延設方向に直交する方向に略等間隔で複数本並設されていることを特徴とする請求項１記載の厨芥水処理装置。
【発明の詳細な説明】
【技術分野】
【０００１】
本発明は、各種食品材料の調理ゴミ及び残飯等の厨芥を含有する被処理液を浄化処理するための厨芥水処理装置に関するものである。
【背景技術】
【０００２】
従来の厨芥水処理装置によれば、住宅施設の水回りで発生した厨芥は、流し台に装備されたディスポーザなどの破砕機によって細かく破砕され、汚水と共に排水管を通じて住宅建築物に併設される処理槽へ流され、その処理槽内で浄化処理されて下水設備へ排水されている。
【特許文献１】特開２００２−１９２１２９公報
【発明の開示】
【発明が解決しようとする課題】
【０００３】
しかしながら、上記した厨芥水処理装置では、処理槽内で厨芥を含む汚水（被処理液）を可溶化分解させるために曝気又は通気などのエアレーション処理が行われているため、かかるエアレーションに伴う騒音や振動が住宅施設に伝播されて、利用者に不快感を与えてしまうという問題点があった。
【０００４】
特に、集合住宅などの多階層建築物にあっては、地下ピットなど地下階層部に処理槽が設置されるため、処理槽内でのエアレーションに伴う騒音や振動が建築物躯体を通して建築物の地上階層部へ伝播し易く、地上階層部で居住している利用者がより一層不快感を感じてしまうという問題点があった。
【０００５】
本発明は、上述した問題点を解決するためになされたものであり、特に、集合住宅などの建築物の地下階層部に設置される処理槽内で行われるエアレーションに伴う騒音や振動を低減して、建築物の地上階層部に対する騒音や振動の伝播を低減できる厨芥水処理装置を提供することを目的としている。
【課題を解決するための手段】
【０００６】
この目的を達成するために請求項１記載の厨芥水処理装置は、厨芥を含有する被処理液を浄化処理するためのものであり、集合住宅などの建築物の地下階層部に配設され被処理液を貯留する処理槽と、その処理槽内の底部に配設され屈曲自在に形成される軟質管状体であってその外周面全体に微細気泡を放散させる多数の微細孔が内周部と連通して設けられる散気パイプと、その散気パイプに給気する給気装置とを備えている。
【０００７】
この請求項１記載の厨芥水処理装置によれば、給気装置により散気パイプへ給気される空気は、その散気パイプの外周面全体にある多数の微細孔から無数の微細気泡となって処理槽底部の被処理液中へ放散される。そして、この放散された無数の微細気泡が処理槽の底部から上部へと上昇することによって、処理槽内は曝気されたり、或いは、処理槽内の被処理液に含まれる厨芥が摩耗されて可溶化分解される。
【０００８】
請求項２記載の厨芥水処理装置は、請求項１記載の厨芥水処理装置において、前記散気パイプは、前記処理槽の底面に沿ってその処理槽の底面一端側から他端側へ延設され、その延設方向に直交する方向に略等間隔で複数本並設されている。１本の散気パイプでは、微細孔の通気抵抗が大きくて給気装置の送風負荷が大きくなり、給気装置からの給気量が低下するからである。
【発明の効果】
【０００９】
本発明によれば、散気パイプから散気される微細気泡はその気泡サイズが極小なため、処理槽の液中を緩やかに上昇して、処理槽内に緩やかな上昇水流を生成する。このため、エアレーションに伴う騒音及び振動を大幅に低減することができ、処理槽の上方に建設される建築物の地上階層部に伝播する騒音や振動を抑制できるという効果がある。
【００１０】
請求項２記載の厨芥水処理装置によれば、請求項１記載の厨芥水処理装置と同様に作用する上、処理槽底面には複数本の散気パイプが並設されるので、これらの散気パイプ全体によって処理槽全体に微細気泡を均等かつ充分に放散させることができるという効果がある。
【発明を実施するための最良の形態】
【００１１】
以下、本発明の好ましい実施例について、添付図面を参照して説明する。図１は、本発明の一実施例である厨芥水処理装置１の設置状態を示す概略図である。図１に示すように、厨芥水処理装置１は、例えば多階層集合住宅などの建築物５０の地下構造体である地下ピット５１に設置されるものであり、各種食品材料の調理ゴミ及び残飯等の厨芥を含有する被処理液Ｗ（図３参照）を浄化して下水道などの下水設備（図示せず）へ排出するものである。
【００１２】
この厨芥水処理装置１は、厨芥が含まれた被処理液Ｗを貯留する処理槽２を備えており、この処理槽２は、例えば、鉄筋コンクリート構造躯体製の容器体である。処理槽２は、建築物５０の地上構造体である各居住区画部５２の排水口５３と排水管５４を介して連通されており、この排水管５４を通じて各居住区画部５２から出された厨芥が処理槽２へと排出される。なお、排水口５３にはディスポーザーなど厨芥を破砕する破砕機（図示せず）が装備されている。
【００１３】
図２は、本発明の一実施例である厨芥水処理装置１の内部構造を示す平面図である。図２に示すように、厨芥水処理装置１は、処理槽２の被処理液Ｗの中にエアレーション処理を行う散気装置３を備えており、この散気装置３は、処理槽２内に配設される複数本の散気パイプ４と、その複数本の散気パイプ４の一端にそれぞれ接続される給気管５（図４参照）と、その給気管５を介して各散気パイプ４と接続されるブロワ６とを備えている。
【００１４】
散気パイプ４は、給気管５を通じてブロワ６から給気される空気を処理槽２内へと放散させるものである。この散気パイプ４は、処理槽２内の底部に配設され屈曲自在に形成される軟質管状体であり、その外周面全体にその内周部と連通する多数の微細孔（図示せず）が設けられている。また、散気パイプ４は、処理槽２の底面２ａ一端側（図２左側）から他端側（図２右側）へ延設されており、その延設方向に直交する方向（図２上下方向）に略等間隔で複数本並設されている。
【００１５】
具体的に散気パイプ４は、ゴム材、特殊合成ゴム材、軟質合成樹脂材（塩化ビニール、ナイロン、テフロン（登録商標）、ＰＰＥ、ＡＳＳなど）により形成される多孔質ゴム製チューブであり、例えば、シーパーホース（株式会社ユニホース製）を用いることができる。
【００１６】
なお、図中では、微生物固定床７を２点鎖線で示している。この微生物固定床７は処理槽２内に配設されて被処理液Ｗ中に沈設されるものである。この微生物固定床７にはポリウレタンフォーム等の多孔質担体（図示せず）が多数充填され、その多孔質担体には好気性微生物が担持される。よって、処理槽２内の被処理液Ｗを好気性微生物を用いて酸化分解させることができるのである。
【００１７】
図３は、図２のＩＩＩ−ＩＩＩ線における縦断面図である。図３に示すように、給気管５は、複数本の散気パイプ４のそれぞれに分岐して連結されており、これら全ての給気管５がブロワ６に連結されている。よって、ブロワ６から送風される空気を複数本の給気管５を通じて各散気パイプ４へ給気し、各散気パイプ４の微細孔から微細気泡として処理槽２内へ放散できるのである。なお、図３中の処理槽２内に示す多数の点は、散気パイプ４から放散される多数の微細気泡を図示したものである。
【００１８】
図４は、図２のＩＶ−ＩＶ線における縦断面図である。図４に示すように、給気管５は、処理槽２の上部から底部へ向けて処理槽２の側壁面２ｂに沿って垂設されており、その下端部に散気パイプ４の一端部が連結されている。散気パイプ４は、給気管５との連結部から処理槽２の側壁面２ｂと底面２ａとが交差する角部で略円弧状に湾曲されて、その先が処理槽２の底面２ａに沿うように反対側の側壁面２ｃへ向かって更に延設されている。
【００１９】
また、散気パイプ４は処理槽２の底面２ａ近傍に非固定状態で配設されており、また、この散気パイプ４は、その先端部（図４左側）が閉塞されることで、給気管５から供給される空気が自ずと外周面の多数の微細孔から放散されるように形成されている。なお、図４中の処理槽２内に示す多数の点は、散気パイプ４から放散される多数の微細気泡を図示したものである。
【００２０】
次に、図５から図７を参照して、上記実施例の変形例について説明する。図５は、第２実施例の厨芥水処理装置２０の内部構造を示す平面図であり、図６は、図５のＶＩ−ＶＩ線における縦断面図であり、図７（ａ）は、図６のＶＩＩＡ−ＶＩＩＡ線における端面図であり、図７（ｂ）は、図６のＶＩＩＢ−ＶＩＩＢ線における端面図である。
【００２１】
ここに、第２実施例の厨芥水処理装置２０は、上記した第１実施例の厨芥水処理装置１に対して、散気装置の形態を変更したものである。以下、第１実施例と同一の部分には同一の符号を付して、その説明を省略し、異なる部分のみを説明する。
【００２２】
図５に示すように、第２実施例の厨芥水処理装置２０は、その処理槽２の内部に合計６個の散気ユニット２１が平面視三行二列状に配設されており、これらの各散気ユニット２１には給気管５が分岐してそれぞれ配管されている。また、図６に示すように、各給気管５の下端部（図６下側）は、被処理液Ｗの液中へ沈設されて各散気ユニット２１と連結されている。
【００２３】
各散気ユニット２１は、微生物固定床７の垂直方向に貫通する略中空筒状のガイド管２２を備えており、このガイド管２２は微生物固定床７の上端面から下端面まで連続して設けられている。このガイド管２２の上端部からは、その内周部に給気管５から放射状に分岐された複数本（例えば６本）の給気支管２３が遊挿されており、これらの給気支管２３はガイド管２２内を通じて微生物固定床７の下端面より下方へ導出されている。なお、ガイド管２２は、微生物固定床７又は給気支管２３に図示しない固定具を用いて固定されている。
【００２４】
微生物固定床７の下端面と処理槽２の底面２ａとの間には、所定高さの空間２５が設けられており、この空間２５内には、ガイド管２２から導出される複数の給気支管２３に接続される複数の散気パイプ２４が略縦姿勢（又は略垂直姿勢）で配設されている。これらの散気パイプ２４は、上記した散気パイプ４と同種のものであり多数の微細孔から微細気泡を処理槽２内へ放散させるものである。なお、図６中の処理槽２内に示す多数の点は、散気パイプ２４から放散される多数の微細気泡を図示したものである。
【００２５】
以上、実施例に基づき本発明を説明したが、本発明は上記実施例に何ら限定されるものではなく、本発明の趣旨を逸脱しない範囲内で、材質、寸法、及び形状などの種々の改良変形が可能であることは容易に推察できるものである。例えば、本実施例では処理槽２は鉄筋コンクリート構造躯体製であると説明したが、かかる処理槽の材質は必ずしもこれに限定されるものではなく、ＦＲＰ製のものであっても良い。
【００２６】
また、本実施例では、散気パイプ４，２４として多孔質ゴム製チューブを用いると説明したが、かかる散気パイプの材質は必ずしもこれに限定されるものではなく、処理槽２内の底部に配設され屈曲自在に形成される軟質管状体であって、その外周面全体に内周部と連通する多数の微細孔が設けられ、微細気泡を放散可能なものであれば、他の材質のものであっても良い。
【００２７】
また、第２実施例では、図７（ａ）に示すように、一の散気ユニット２１に備えられる散気パイプ２４の本数が合計６本で、図７（ｂ）に示すように、一のガイド管２２内に遊挿される給気支管２３の本数が散気パイプ２４の本数と同数の合計６本で、一の処理槽２に合計３６本の散気パイプ２４が配設される厨芥水処理装置２０を用いて説明したが、散気パイプの本数は必ずしもこれに限定されるものではなく、処理槽２への必要な空気量に応じて適宜変更しても良い。
【図面の簡単な説明】
【００２８】
【図１】本発明の一実施例である厨芥水処理装置の設置状態を示す概略図である。
【図２】厨芥水処理装置の内部構造を示す平面図である。
【図３】図２のＩＩＩ−ＩＩＩ線における縦断面図である。
【図４】図２のＩＶ−ＩＶ線における縦断面図である。
【図５】第２実施例の厨芥水処理装置の内部構造を示す平面図である。
【図６】図５のＶＩ−ＶＩ線における縦断面図である。
【図７】（ａ）は、図６のＶＩＩＡ−ＶＩＩＡ線における端面図であり、（ｂ）は、図６のＶＩＩＢ−ＶＩＩＢ線における端面図である。
【符号の説明】
【００２９】
１，２０            厨芥水処理装置
２                  処理槽
２ａ                底面（処理槽の底部）
３                  散気装置
４，２４            散気パイプ
５                  給気管（給気装置の一部）
６                  ブロワ（給気装置の一部）
７                  微生物固定床
２１                散気ユニット
２２                ガイド管
２３                給気支管（給気装置の一部）
２５                空間（処理槽の底部）
５０                建築物
５１                地下ピット（地下階層部）
５２                居住区画部（地上階層部）
５３                排水口
５４                排水管
Ｗ                  被処理液
【図１】
2007061762.tif 000003
【図２】
2007061762.tif 000004
【図３】
2007061762.tif 000005
【図４】
2007061762.tif 000006
【図５】
2007061762.tif 000007
【図６】
2007061762.tif 000008
【図７】
2007061762.tif 000009